(57)【要約】【課題】誤接続の防止を図った通信装置を安価に提供する。【解決手段】各ｅコネクタＣ１〜Ｃ５には、複数のグランド端子ＴＧ１〜ＴＧ５が設けられている。各ｅコネクタＣ１〜Ｃ５に内蔵された制御装置は、複数のグランド端子ＴＧ１〜ＴＧ２のうち外部グランドラインＬＧ１が接続されているグランド端子ＴＧ１〜ＴＧ５を検出し、その検出結果に対応したＩＤを設定する。【選択図】図１
2008293752.tif 000002
【特許請求の範囲】
【請求項１】
他の通信装置と識別情報を用いて通信を行う通信装置において、
前記通信装置内の内部グランドラインの一端に設けられた前記通信装置外の外部グランドラインが接続される複数のグランド端子と、
前記複数のグランド端子のうち前記外部グランドラインが接続されている前記グランド端子を検出するグランドライン接続検出手段と、
前記グランドライン接続検出手段の検出結果に対応した前記識別情報を設定する識別情報設定手段と、を備えたことを特徴とする通信装置。
【請求項２】
前記複数のグランド端子が各々、前記内部グランドラインから前記グランド端子に向かって順方向となるダイオードを介して前記内部グランドラインと接続されると共に、抵抗を介して所定電圧が供給され、そして、
前記識別情報設定手段が、前記複数のグランド端子の電位がグランド電位であるとき前記外部グランドラインが接続されていることを検出するように設けられていることを特徴とする請求項１に記載の通信装置。
【請求項３】
前記通信装置内の内部電源ラインの一端に設けられた前記通信装置外の外部電源ラインが接続される複数の電源端子と、
前記複数の電源端子のうち前記外部電源ラインが接続されている前記電源ラインを検出する電源ライン接続検出手段と、を備え、そして、
前記識別情報設定手段が、前記グランドライン接続検出手段及び前記電源ライン接続検出手段の両者の検出結果に対応した前記識別情報を設定するように設けられていることを特徴とする請求項１又は２に記載の通信装置。
【請求項４】
他の通信装置と識別情報を用いて通信を行う通信装置において、
前記通信装置内の内部電源ラインの一端に設けられた前記通信装置外の外部電源ラインが接続される複数の電源端子と、
前記複数の電源端子のうち前記外部電源ラインが接続されている前記電源ラインを検出する電源ライン接続検出手段と、
前記電源ライン接続検出手段の検出結果に対応した前記識別情報を設定する識別情報設定手段と、を備えたことを特徴とする通信装置。
【請求項５】
前記複数の電源端子が各々、前記電源端子から前記内部電源ラインに向かって順方向となるダイオードを介して前記内部電源ラインと接続されると共に、抵抗を介してグランド電位が供給され、そして、
前記識別情報設定手段が、前記複数の電源端子の電位が電源電圧であるとき前記外部電源ラインが接続されていることを検出するように設けられていることを特徴とする請求項３又は４に記載の通信装置。
【発明の詳細な説明】
【技術分野】
【０００１】
本発明は、通信装置に係り、特に、他の通信装置と識別情報の授受を行って通信を行う通信装置に関するものである。
【背景技術】
【０００２】
従来、上述した通信装置を組み込んだ通信システムとして、例えば、図８に示すような車両用通信システムが提案されている（例えば特許文献１、２）。同図に示すように、車両用通信システムは、一つの外部通信ラインＬＣ１に接続された通信装置としての複数の機能内蔵コネクタ（以下ｅコネクタ）Ｃ１〜ＣＮが設けられている。
【０００３】
各ｅコネクタＣ１〜ＣＮは、外部通信ラインＬＣ１を介して他のｅコネクタＣ１〜ＣＮとの信号授受を行い、この信号授受に基づいて複数の補機１１〜１ｎ、…、Ｎ１〜Ｎｎの動作を制御する。なお、ｅコネクタＣ１〜ＣＮには各々、ｅコネクタＣ１〜ＣＮ全体の制御を司るＣＰＵなどから構成された制御装置６０が設けられている。
【０００４】
このように、一つの外部通信ラインＬＣ１に複数のｅコネクタＣ１〜ＣＮを接続して信号授受を実現するために各ｅコネクタＣ１〜ＣＮには、識別情報としてのＩＤが設定されている。そして、ｅコネクタＣ１〜ＣＮは各々、信号に送信先のＩＤと自己のＩＤとを添付して信号の送信を行うと共に、自己のＩＤが添付された信号の受信を行っている。
【０００５】
上記ＩＤの設定がないと一つの外部通信ラインＬＣ１に接続された各ｅコネクタＣ１〜ＣＮ同士が信号の授受を正規にできなくなるため、ＩＤの設定は必要不可欠なものである。上記ＩＤの設定は、例えば各ｅコネクタＣ１〜ＣＮに複数の内蔵スイッチ群ＳＷを設けたり、ｅコネクタＣ１〜ＣＮ内に設けられた図示しない不揮発性メモリなどに、製造時に個別に記憶するなどして行われる。
【０００６】
しかしながら、上述したＩＤの設定方法では、概観が同じものだと他のｅコネクタＣ１〜ＣＮと区別ができないため誤接続されて、正規の制御ができなくなり、製造不良になる危険性もある。この誤組み付けを防止するため、各ｅコネクタＣ１〜ＣＮの形状を互いに異ならせることが考えられるが、複数種類の形状のｅコネクタＣ１〜ＣＮを設ける必要があり、コスト的に問題があった。
【特許文献１】特開２００５−２７６４８９号公報
【特許文献２】特開２００３−１２７６４６号公報
【発明の開示】
【発明が解決しようとする課題】
【０００７】
そこで、本発明は、上記のような問題点に着目し、誤接続の防止を図った通信装置を安価に提供することを課題とする。
【課題を解決するための手段】
【０００８】
上記課題を解決するためになされた請求項１記載の発明は、他の通信装置と識別情報を用いて通信を行う通信装置において、前記通信装置内の内部グランドラインの一端に設けられた前記通信装置外の外部グランドラインが接続される複数のグランド端子と、前記複数のグランド端子のうち前記外部グランドラインが接続されている前記グランド端子を検出するグランドライン接続検出手段と、前記グランドライン接続検出手段の検出結果に対応した前記識別情報を設定する識別情報設定手段と、を備えたことを特徴とする通信装置に存する。
【０００９】
請求項１記載の発明によれば、グランドライン接続検出手段が複数のグランド端子のうち外部グランドラインが接続されているグランド端子を検出し、識別情報設定手段がグランドライン接続検出手段の検出結果に対応した識別情報を設定する。従って、複数の通信装置を同形状にしても、グランド端子に接続される外部グランドラインを見て通信装置のＩＤが容易に把握することができる。
【００１０】
請求項２記載の発明は、前記複数のグランド端子が各々、前記内部グランドラインから前記グランド端子に向かって順方向となるダイオードを介して前記内部グランドラインと接続されると共に、抵抗を介して所定電圧が供給され、そして、前記識別情報設定手段が、前記複数のグランド端子の電位がグランド電位であるとき前記外部グランドラインが接続されていることを検出するように設けられていることを特徴とする請求項１に記載の通信装置に存する。
【００１１】
請求項２記載の発明によれば、識別情報設定手段が、複数のグランド端子の電位がグランド電位であるとき外部グランドラインが接続されていることを検出するように設けられている。従って、複数のグランド端子の電位を検出するだけで簡単に外部グランドラインに接続されているか否かを検出することができる。
【００１２】
請求項３記載の発明は、前記通信装置内の内部電源ラインの一端に設けられた前記通信装置外の外部電源ラインが接続される複数の電源端子と、前記複数の電源端子のうち前記外部電源ラインが接続されている前記電源ラインを検出する電源ライン接続検出手段と、を備え、そして、前記識別情報設定手段が、前記グランドライン接続検出手段及び前記電源ライン接続検出手段の両者の検出結果に対応した前記識別情報を設定するように設けられていることを特徴とする請求項１又は２に記載の通信装置に存する。
【００１３】
請求項３記載の発明によれば、電源ライン接続検出手段が複数の電源端子のうち外部電源ラインが接続されている電源ラインを検出し、識別情報設定手段がグランドライン接続検出手段及び電源ライン接続検出手段の両者の検出結果に対応した識別情報を設定するように設けられている。従って、複数の通信装置を同形状にしても、グランド端子、電源端子に接続される外部グランドライン、外部電源ラインを見て通信装置のＩＤが容易に把握することができる。
【００１４】
請求項４記載の発明は、他の通信装置と識別情報を用いて通信を行う通信装置において、前記通信装置内の内部電源ラインの一端に設けられた前記通信装置外の外部電源ラインが接続される複数の電源端子と、前記複数の電源端子のうち前記外部電源ラインが接続されている前記電源ラインを検出する電源ライン接続検出手段と、前記電源ライン接続検出手段の検出結果に対応した前記識別情報を設定する識別情報設定手段と、を備えたことを特徴とする通信装置に存する。
【００１５】
請求項４記載の発明によれば、電源ライン接続検出手段が複数の電源端子のうち外部電源ラインが接続されている電源ラインを検出し、識別情報設定手段が電源ライン接続検出手段の検出結果に対応した識別情報を設定する。従って、複数の通信装置を同形状にしても、電源端子に接続される外部電源ラインを見て通信装置のＩＤが容易に把握することができる。
【００１６】
請求項５記載の発明は、前記複数の電源端子が各々、前記電源端子から前記内部電源ラインに向かって順方向となるダイオードを介して前記内部電源ラインと接続されると共に、抵抗を介してグランド電位が供給され、そして、前記識別情報設定手段が、前記複数の電源端子の電位が電源電圧であるとき前記外部電源ラインが接続されていることを検出するように設けられていることを特徴とする請求項３又は４に記載の通信装置に存する。
【００１７】
請求項５記載の発明によれば、識別情報設定手段が、複数の電源端子の電位が電源電圧であるとき外部電源ラインが接続されていることを検出するように設けられている。従って、複数の電源端子の電位を検出するだけで簡単に外部電源ラインに接続されているか否かを検出することができる。
【発明の効果】
【００１８】
以上説明したように請求項１記載の発明によれば、複数の通信装置を同形状にしても、グランド端子に接続される外部グランドラインを見て通信装置のＩＤが容易に把握することができるので、誤接続の防止を図った通信装置を安価に提供することができる。
【００１９】
請求項２記載の発明によれば、複数のグランド端子の電位を検出するだけで簡単に外部グランドラインに接続されているか否かを検出することができるので、簡単な構成となりさらにコストダウンを図ることができる。
【００２０】
請求項３記載の発明によれば、複数の通信装置を同形状にしても、グランド端子、電源端子に接続される外部グランドライン、外部電源ラインを見て通信装置のＩＤが容易に把握することができるので、誤接続の防止を図った通信装置を安価に提供することができる。
【００２１】
請求項４記載の発明によれば、複数の通信装置を同形状にしても、電源端子に接続される外部電源ラインを見て通信装置のＩＤが容易に把握することができるので、誤接続の防止を図った通信装置を安価に提供することができる。
【００２２】
請求項５記載の発明によれば、複数の電源端子の電位を検出するだけで簡単に外部電源ラインに接続されているか否かを検出することができるので、簡単な構成となりさらにコストダウンを図ることができる。
【発明を実施するための最良の形態】
【００２３】
第１実施形態
以下、本発明の第１実施形態を図面に基づいて説明する。図１は、第１実施形態における本発明の通信装置としてのｅコネクタＣ１〜Ｃ５を組み込んだ車両用通信システムの一実施の形態を示す図である。図２は、図１に示すｅコネクタＣ１〜Ｃ５の電気構成図である。同図に示すように、車両用通信システムは、車両の各部に配置された例えば５つのｅコネクタＣ１〜Ｃ５から構成されている。ｅコネクタＣ１〜Ｃ５にはそれぞれ、補機１１〜１ｎ、２１〜２ｎ、…、５１〜５ｎが接続されている。
【００２４】
各ｅコネクタＣ１〜Ｃ５は、制御装置６０と、各ｅコネクタＣ１〜Ｃ５の外部に露出するように設けられた電源端子ＴＶ、通信端子ＴＣ、及び、例えば５つのグランド端子ＴＧ１〜ＴＧ５が設けられている。制御装置６０は、ＣＰＵなどから構成され、各補機１１〜１ｎ、２１〜２ｎ、…、５１〜５ｎの制御などを行う。
【００２５】
上記電源端子ＴＶは、ｅコネクタＣ１〜Ｃ５内の内部電源ラインＬＶ２の一端に設けられている。上記電源端子ＴＶは、ｅコネクタＣ１〜Ｃ５外の外部電源ラインＬＶ１が接続される。制御装置６０は、上記内部電源ラインＬＶ２の他端に接続されていて、内部電源ラインＬＶ２及び電源端子ＴＶを介して外部電源ラインＬＶ１から電源電圧の供給を受けている。
【００２６】
通信端子ＴＣは、ｅコネクタＣ１〜Ｃ５内の内部通信ラインＬＣ２の一端に設けられている。上記通信端子ＴＣは、ｅコネクタＣ１〜Ｃ５外の外部通信ラインＬＣ１が接続される。制御装置６０は、上記内部通信ラインＬＣ２の他端に接続されていて、内部通信ラインＬＣ２及び通信端子ＴＣを介して他のｅコネクタＣ１〜Ｃ５内の制御装置６０と通信信号の授受を行っている。
【００２７】
グランド端子ＴＧ１〜ＴＧ５は、例えば外部通信ラインＬＣ１を介して相互接続されているｅコネクタＣ１〜Ｃ５の数と同じ数だけ設けられている。本実施形態では、グランド端子ＴＧ１〜ＴＧ５は５つ設けられている。内部グランドラインＬＧ２は一端が５つに分岐されていて、それぞれにグランド端子ＴＧ１〜ＴＧ５が設けられている。グランド端子ＴＧ１〜ＴＧ５は、ｅコネクタＣ１〜Ｃ５外の外部グランドラインＬＧ１が接続される。
【００２８】
また、複数のグランド端子ＴＧ１〜ＴＧ５は各々、内部グランドラインＬＧ２からグランド端子ＴＧ１〜ＴＧ５に向かって順方向となるダイオードＤ１１〜Ｄ１５を介して内部グランドラインＬＧ２に接続されている。制御装置６０は、上記内部グランドラインＬＧ２の他端に接続されていて、内部グランドラインＬＧ２及びグランド端子ＴＧ１〜ＴＧ５を介して外部グランドラインＬＧ１からグランド電位の供給を受けている。
【００２９】
複数のグランド端子ＴＧ１〜ＴＧ５は各々、抵抗Ｒ１１〜Ｒ１５を介して５Ｖ電圧出力端子Ｔ５が接続され、５Ｖ電圧が供給されている。また、グランド端子ＴＧ１〜ＴＧ５は、制御装置６０に設けたＩＤ認識端子ＴＲ１１〜ＴＲ１５にそれぞれ接続されている。
【００３０】
以上の構成によれば、外部グランドラインＬＧ１に接続されたグランド端子ＴＧ１〜ＴＧ５はグランド電位となるため、そのグランド端子ＴＧ１〜ＴＧ５に接続されたＩＤ認識端子ＴＲ１１〜ＴＲ１５の電位もグランド電位となる。また、外部グランドラインＬＧ１に接続されていないグランド端子ＴＧ１〜ＴＧ５はオープン状態となっているため、そのグランド端子ＴＧ１〜ＴＧ５に接続されたＩＤ認識端子ＴＲ１１〜ＴＲ１５の電位は５Ｖとなる。
【００３１】
よって、ＩＤ認識端子ＴＲ１１〜ＴＲ１５の電位がグランド電位であれば、外部グランドラインＬＧ１に接続されていると判断することができ、５Ｖであれば外部グランドラインＬＧ１に接続されていないと判断することができる。なお、ダイオードＤ１１〜Ｄ１５により電流方向が制限されているため、例えばグランド端子ＴＧ１が外部グランドラインＬＧ１に接続されてグランド電位になったとしても、外部グランドラインＬＧ１に接続されていないグランド端子ＴＧ２〜ＴＧ５がグランド電位になることはない。
【００３２】
上述した構成の車両用通信システムのＩＤ設定動作を図３に基づいて以下説明する。図３は、図１に示すｅコネクタＣ１〜Ｃ５内の制御装置６０の設定処理における手順を示すフローチャートである。
【００３３】
まず、製造工程において、作業者が車両の各部にｅコネクタＣ１〜Ｃ５を配置する。そして、各ｅコネクタＣ１〜Ｃ５に補機１１〜１ｎ、２１〜２ｎ、…、５１〜５ｎをそれぞれ接続する。また、外部電源ラインＬＶ１から分岐した電線をｅコネクタＣ１〜Ｃ５の電源端子ＴＶに接続し、外部通信ラインＬＣ１から分岐した電線をｅコネクタＣ１〜Ｃ５の通信端子ＴＣに接続し、外部グランドラインＬＧ１からの分岐した電線をグランド端子ＴＧ１〜ＴＧ５に接続する。
【００３４】
このとき作業者は、各ｅコネクタＣ１〜Ｃ５に与えられたＩＤに対応するグランド端子ＴＧ１〜ＴＧ５を外部グランドラインＬＧ１から分岐した電線に接続する。作業者は、図４に示すように制御装置６０内の図示しない記憶部に記憶されたＩＤテーブルを参照してグランド端子ＴＧ１〜ＴＧ５の外部グランドラインＬＧ１への接続作業を行う。なお、図４中、グランド端子ＴＧ１〜ＴＧ５欄に示す「１」は外部グランドラインＬＧ１が接続されている状態を示し、「０」は外部グランドラインＬＧ１が未接続の状態を示す。
【００３５】
例えば、ｅコネクタＣ１〜Ｃ５には順に「１」〜「５」のＩＤが与えられている。この場合、作業者は、ｅコネクタＣ１のグランド端子ＴＧ１を、ｅコネクタＣ２のグランド端子ＴＧ２を、ｅコネクタＣ３のグランド端子ＴＧ３を、ｅコネクタＣ４のグランド端子ＴＧ４を、ｅコネクタＣ５のグランド端子ＴＧ５をそれぞれ外部グランドラインＬＧ１から分岐した電線に接続する。これにより、制御装置６０への電源供給が開始される。
【００３６】
この電源供給に応じて制御装置６０は設定処理を行う。まず、制御装置６０は、グランドライン接続検出手段として働き、複数のグランド端子ＴＧ１〜ＴＧ５のうち外部グランドラインＬＧ１が接続されているグランド端子ＴＧ１〜ＴＧ５を検出する接続検出処理を行う（ステップＳ１）。具体的には、制御装置６０は、各ＩＤ認識端子ＴＲ１１〜ＴＲ１５を介して供給されるグランド端子ＴＧ１〜ＴＧ５の電位がグランド電位であれば外部グランドラインＬＧ１が接続されていると判断し、グランド端子ＴＧ１〜ＴＧ５の電位が５Ｖ電圧であれば外部グランドラインＬＧ１が接続されていないと判断する。
【００３７】
次に、制御装置６０は、識別情報設定手段として働き、ステップＳ１の接続検出処理の検出結果に対応したＩＤ（＝識別情報）を設定するＩＤ設定処理を行った後（ステップＳ２）、ＩＤ設定処理を終了する。ＩＤ設定処理は、例えば図４に示すように制御装置６０内の図示しない記憶部に記憶されたＩＤテーブルを参照して行う。
【００３８】
同図に示すように、制御装置６０は、グランド端子ＴＧ１が外部グランドラインＬＧ１に接続されていればＩＤを「１」に設定し、グランド端子ＴＧ２が外部グランドラインＬＧ１に接続されていればＩＤを「２」に設定し、グランド端子ＴＧ３が外部グランドラインＬＧ１に接続されていればＩＤを「３」に設定し、グランド端子ＴＧ４が外部グランドラインＬＧ１に接続されていればＩＤを「４」に設定し、グランド端子ＴＧ５が外部グランドラインＬＧ１に設定されていればＩＤを「５」に設定する。
【００３９】
そして、設定処理終了後、各ｅコネクタＣ１〜Ｃ５は、通信信号に送信先のＩＤと自己のＩＤとを添付して信号の送信を行うと共に、自己のＩＤが添付された信号の受信を行う。
【００４０】
上述した車両用通信システムのｅコネクタＣ１〜Ｃ５によれば、制御装置６０が複数のグランド端子ＴＧ１〜ＴＧ５のうち外部グランドラインＬＧ１が接続されているグランド端子ＴＧ１〜ＴＧ５を検出し、その検出結果に対応したＩＤを設定する。従って、複数のｅコネクタＣ１〜Ｃ５を同形状にしても、グランド端子ＴＧ１〜ＴＧ５に接続される外部グランドラインＬＧ１を見てｅコネクタＣ１〜Ｃ５のＩＤが容易に把握することができる。よって、ＩＤ設定に特別な外部部品を必要とせずに、誤接続の防止を図ったｅコネクタＣ１〜Ｃ５を安価に提供することができる。
【００４１】
また、ｅコネクタＣ１〜Ｃ５の異常発生時にＩＤが分かれば、異常ｅコネクタＣ１〜Ｃ５が外部から容易に分かる。また、ＩＤ設定用の端子とグランド端子ＴＧ１〜ＴＧ５とを兼用しているため、万一、電線が断線、端子外れなどを起こした場合には、そのｅコネクタＣ１〜Ｃ５のみ通信不良となるだけで、他のｅコネクタＣ１〜Ｃ５は正常に動作することができる。
【００４２】
また、上述したｅコネクタＣ１〜Ｃ５によれば、制御装置６０が、複数のグランド端子ＴＧ１〜ＴＧ５の電位がグランド電位であるとき外部グランドラインＬＧ１が接続されていることを検出するように設けられている。従って、複数のグランド端子ＴＧ１〜ＴＧ５の電位を検出するだけで簡単に外部グランドラインＬＧ１に接続されているか否かを検出することができ、簡単な構成となりさらにコストダウンを図ることができる。
【００４３】
また、ｅコネクタＣ１〜Ｃ５には必ず外部グランドラインＬＧ１、外部電源ラインＬＶ１、外部通信ラインＬＣ１に接続するための３本の電線が必要である。上述したｅコネクタＣ１〜Ｃ５によれば、グランド端子ＴＧ１〜ＴＧ５を外部通信ラインＬＣ１で相互接続されているｅコネクタＣ１〜Ｃ５の数と同じ数だけ設け、互いに異なるグランド端子ＴＧ１〜ＴＧ５を外部グランドラインＬＧ１に接続しているので、外部グランドラインＬＧ１を接続すると同時にＩＤも設定できるため、電線を増やす必要がない。
【００４４】
なお、上述した第１実施形態では、グランド端子ＴＧ１〜ＴＧ５を外部通信ラインＬＣ１で相互接続されているｅコネクタＣ１〜Ｃ５の数と同じ数だけ設け、互いに異なるグランド端子ＴＧ１〜ＴＧ５を外部グランドラインＬＧ１で接続していたが、本発明はこれに限ったものではない。電線追加が許容されるならば、複数のグランド端子ＴＧ１〜ＴＧ５に接続する外部グランドラインＬＧ１から分岐した電線を例えば２本、３本と追加して、外部グランドラインＬＧ１に接続されるグランド端子ＴＧ１〜ＴＧ５の組み合わせに応じてＩＤを設定するようにしてもよい。第１実施形態に示すＩＤ設定では、グランド端子ＴＧ１〜ＴＧ５の数分のＩＤしか設定することができないが、この場合、（２のグランド端子数乗）−１のＩＤ設定を可能とする。
【００４５】
第２実施形態
次に、本発明の第２実施形態を図面に基づいて説明する。図５は、第２実施形態における本発明の通信装置としてのｅコネクタＣ１〜Ｃ４を組み込んだ車両用通信システムの一実施の形態を示す図である。図６は、図５に示すｅコネクタＣ１〜Ｃ４の電気構成図である。同図に示すように、車両用通信システムは、車両の各部に配置された例えば４つのｅコネクタＣ１〜Ｃ４から構成されている。ｅコネクタＣ１〜Ｃ４にはそれぞれ、補機１１〜１ｎ、２１〜２ｎ、…、４１〜４ｎが接続されている。
【００４６】
各ｅコネクタＣ１〜Ｃ４は、制御装置６０と、各ｅコネクタＣ１〜Ｃ４の外部に露出するように設けられた例えば２つの電源端子ＴＶ１、ＴＶ２、通信端子ＴＣ、及び、例えば２つのグランド端子ＴＧ１、ＴＧ２とが設けられている。制御装置６０は、ＣＰＵなどから構成され、各補機１１〜１ｎ、２１〜２ｎ、…、４１〜４ｎの制御などを行う。
【００４７】
上記電源端子ＴＶ１、ＴＶ２は、ｅコネクタＣ１〜Ｃ４の内部電源ラインＬＶ２の一端に設けられている。上記電源端子ＴＶ１、ＴＶ２は、ｅコネクタＣ１〜Ｃ４外の外部電源ラインＬＶ１が接続される。制御装置６０は、上記内部電源ラインＬＶ２の他端に接続されていて、電源端子ＴＶ１、ＴＶ２及び内部電源ラインＬＶ２を介して外部電源ラインＬＶ１から電源電圧の供給を受けている。
【００４８】
また、２つの電源端子ＴＶ１、ＴＶ２は、電源端子ＴＶ１、ＴＶ２から内部電源ラインＬＶ２に向かって順方向となるダイオードＤ２１、Ｄ２２を介して内部電源ラインＬＶ２に接続されている。制御装置６０は、上記内部電源ラインＬＶ２に接続されていて、電源端子ＴＶ１、ＴＶ２及び内部電源ラインＬＶ２を介して外部電源ラインＬＶ１から電源電圧の供給を受けている。
【００４９】
また、２つの電源端子ＴＶ１、ＴＶ２は各々、抵抗Ｒ２１、Ｒ２２を介してグランド出力端子Ｔ６が接続され、グランド電位が供給されている。また、電源端子ＴＶ１、ＴＶ２は、制御装置６０に設けたＩＤ認識端子ＴＲ２１、ＴＲ２２にそれぞれ接続されている。
【００５０】
上記通信端子ＴＣは上述した第１実施形態と同様の構成のため、ここではその詳細な説明は省略する。グランド端子ＴＧ１、ＴＧ２は、ｅコネクタＣ１〜Ｃ４外の外部グランドラインＬＧ１が接続され、ｅコネクタＣ１〜Ｃ４の内部グランドラインＬＧ２の一端に設けられている。
【００５１】
また、複数のグランド端子ＴＧ１、ＴＧ２は各々、内部グランドラインＬＧ２からグランド端子ＴＧ１、ＴＧ２に向かって順方向となるダイオードＤ３１、Ｄ３２を介して内部グランドラインＬＧ２に接続されている。制御装置６０は、上記内部グランドラインＬＧ２に接続されていて、内部グランドラインＬＧ２及びグランド端子ＴＧ１、ＴＧ２を介して外部グランドラインＬＧ１からグランド電位の供給を受けている。
【００５２】
複数のグランド端子ＴＧ１、ＴＧ２は各々、複数の抵抗Ｒ３１、Ｒ３２を介して５Ｖ電圧出力端子Ｔ５が接続され、５Ｖ電圧が供給されている。また、グランド端子ＴＧ１、ＴＧ２は、制御装置６０に設けたＩＤ認識端子ＴＲ３１、ＴＲ３２にそれぞれ接続されている。
【００５３】
上述した構成の通信システムのＩＤ情報設定の動作を図３に基づいて以下説明する。まず、製造工程において、作業者が車両の各部にｅコネクタＣ１〜Ｃ４を配置する。そして、各ｅコネクタＣ１〜Ｃ４に補機１１〜１ｎ、２１〜２ｎ、…、４１〜４ｎをそれぞれ接続する。また、外部電源ラインＬＶ１から分岐した電線をｅコネクタＣ１〜Ｃ４の電源端子ＴＶ１、ＴＶ２に接続し、外部通信ラインＬＣ１から分岐した電線をｅコネクタＣ１〜Ｃ４の通信端子ＴＣに接続し、外部グランドラインＬＧ１からの分岐した電線をグランド端子ＴＧ１、ＴＧ２に接続する。
【００５４】
このとき作業者は、各ｅコネクタＣ１〜Ｃ４に与えられたＩＤに対応する電源端子ＴＶ１、ＴＶ２を外部電源ラインＬＶ１に接続すると共に、グランド端子ＴＧ１、ＴＧ２を外部グランドラインＬＧ１に接続する。作業者は、図７に示すように制御装置６０内の図示しない記憶部に記憶されたＩＤテーブルを参照して電源端子ＴＶ１、ＴＶ２の外部電源ラインＬＶ１への接続作業及びグランド端子ＴＧ１、ＴＧ２の外部グランドラインＬＧ１への接続作業を行う。なお、図７中、電源端子ＴＶ１、ＴＶ２欄に示す「１」は外部電源ラインＬＶ１が接続されている状態を示し、「０」は外部電源ラインＬＶ１が未接続の状態を示す。また、グラント端子ＴＧ１、ＴＧ２欄に示す「１」は外部グランドラインＬＧ１が接続されている状態を示し、「０」は外部グランドラインＬＧ１が未接続の状態を示す。
【００５５】
例えば、ｅコネクタＣ１〜Ｃ４には順に「１」〜「４」のＩＤが与えられている。この場合、作業者は、ｅコネクタＣ１の電源端子ＴＶ１を、ｅコネクタＣ２の電源端子ＴＶ１を、ｅコネクタＣ３の電源端子ＴＶ２を、ｅコネクタＣ４の電源端子ＴＶ２をそれぞれ外部電源ラインＬＶ１から分岐した電線に接続する。また、作業者は、ｅコネクタＣ１のグランド端子ＴＧ１を、ｅコネクタＣ２のグランド端子ＴＧ２を、ｅコネクタＣ３のグランド端子ＴＧ１を、ｅコネクタＣ４のグランド端子ＴＧ２をそれぞれ外部グランドラインＬＧ１から分岐した電線に接続する。これにより電源供給が開始される。
【００５６】
電源供給に応じて制御装置６０は設定処理を行う。まず、制御装置６０は、グランドライン接続検出手段、電源ライン接続検出手段として働き、複数のグランド端子ＴＧ１、ＴＧ２のうち外部グランドラインＬＧ１が接続されているグランド端子ＴＧ１、ＴＧ２を検出すると共に電源端子ＴＶ１、ＴＶ２のうち外部電源ラインＬＶ１が接続されている電源端子ＴＶ１、ＴＶ２を検出する接続検出処理を行う（ステップＳ１）。
【００５７】
具体的には、制御装置６０は、各ＩＤ認識端子ＴＲ３１、ＴＲ３２を介して供給されるグランド端子ＴＧ１、ＴＧ２の電位がグランド電位であれば外部グランドラインＬＧ１が接続されていると判断し、グランド端子ＴＧ１、ＴＧ２の電位が５Ｖ電圧であれば外部グランドラインＬＧ１が接続されていないと判断する。また、各ＩＤ認識端子ＴＲ２１、ＴＲ２２を介して供給される電源端子ＴＶ１、ＴＶ２の電位がグランド電位であれば外部電源ラインＬＶ１に接続されていないと判断し、電源端子ＴＶ１、ＴＶ２の電位が電源電圧であれば外部電源ラインＬＶ１に接続されていると判断する。
【００５８】
次に、制御装置６０は、接続検出処理の検出結果に対応したＩＤを設定するＩＤ設定処理を行った後（ステップＳ２）、ＩＤ設定処理を終了する。ＩＤ設定処理は、例えば図７に示すように制御装置６０内の記憶部に記憶されたＩＤテーブルを参照して行う。
【００５９】
上述した車両用通信システムのｅコネクタＣ１〜Ｃ４によれば、制御装置６０が、複数の電源端子ＴＶ１、ＴＶ２のうち外部電源ラインＬＶ１が接続されている電源端子ＴＶ１、ＴＶ２を検出すると共に複数のグランド端子ＴＧ１、ＴＧ２のうち外部グランドラインＬＧ１が接続されているグランド端子ＴＧ１、ＴＧ２を検出する検出処理を行う。そして、制御装置６０が、上記検出処理の検出結果に対応したＩＤを設定するように設けられている。従って、複数のｅコネクタＣ１〜Ｃ４を同形状にしても、グランド端子ＴＧ１、ＴＧ２、電源端子ＴＶ１、ＴＶ２に接続される外部グランドラインＬＧ１、外部電源ラインＬＶ１を見てｅコネクタＣ１〜Ｃ４のＩＤが容易に把握することができ、誤接続の防止を図ったｅコネクタＣ１〜Ｃ４を安価に提供することができる。また、ｅコネクタＣ１〜Ｃ４の異常発生時にＩＤが分かれば、異常ｅコネクタＣ１〜Ｃ４が外部から容易に分かる。
【００６０】
また、上述した車両用通信システムのｅコネクタＣ１〜Ｃ４によれば、制御装置６０が、複数の電源端子ＴＶ１、ＴＶ２の電位が電源電圧であるとき外部電源ラインＬＶ１が接続されていることを検出するように設けられている。従って、複数の電源端子ＴＶ１、ＴＶ２の電位を検出するだけで簡単に外部電源ラインＬＶ１に接続されているか否かを検出することができ、簡単な構成となりさらにコストダウンを図ることができる。
【００６１】
なお、上述した第２実施形態では、外部グランドラインＬＧ１から分岐した１本の電線をグランド端子ＴＧ１、ＴＧ１のいずれか一つに接続し、外部電源ラインＬＶ１から分岐した１本の電線を電源端子ＴＶ１、ＴＶ２のいずれか一つに接続していたが、本発明はこれに限ったものではない。電線追加が許容されるならば、複数のグランド端子ＴＧ１、ＴＧ２に電線追加すれば、外部グランドラインＬＧ１に接続されるグランド端子ＴＧ１、ＴＧ２の組み合わせに応じてＩＤを設定するようにしてもよい。この場合、図７に示すように、「５」〜「８」までのＩＤをさらに設定することができる。
【００６２】
また、上述した第２実施形態では、電源端子ＴＶ１、ＴＶ２に対する外部電源ラインＬＶ１の接続検出結果とグランド端子ＴＧ１、ＴＧ２に対する外部グランドラインＬＧ１の接続検出結果の両方に対応したＩＤを設定していたが、本発明はこれに限ったものではない。例えば、グランド端子を１つだけ設けて、電源端子ＴＶ１、ＴＶ２に対する外部電源ラインＬＶ１の接続検出結果のみに対応したＩＤを設定するようにしてもよい。
【００６３】
また、前述した実施形態は本発明の代表的な形態を示したに過ぎず、本発明は、実施形態に限定されるものではない。即ち、本発明の骨子を逸脱しない範囲で種々変形して実施することができる。
【図面の簡単な説明】
【００６４】
【図１】第１実施形態における本発明の通信装置としてのｅコネクタを組み込んだ車両用通信システムの一実施の形態を示す図である。
【図２】図１に示すｅコネクタの電気構成図である。
【図３】図１に示すｅコネクタ内の制御装置の識別情報設定処理における手順を示すフローチャートである。
【図４】図１に示す制御装置内の記憶部に記憶されたＩＤテーブルを示す図である。
【図５】第２実施形態における本発明の通信装置としてのｅコネクタを組み込んだ車両用通信システムの一実施の形態を示す図である。
【図６】図５に示すｅコネクタの電気構成図である。
【図７】図５に示す制御装置内の記憶部に記憶されたＩＤテーブルを示す図である。
【図８】従来のｅコネクタを組み込んだ車両用通信システムの一例を示す図である。
【符号の説明】
【００６５】
６０            制御装置（グランドライン接続検出手段、識別情報設定手段、電源ライン接続検出手段）
Ｃ１〜Ｃ５      ｅコネクタ（通信装置）
Ｄ１１〜Ｄ１５  ダイオード
Ｄ２１、Ｄ２２  ダイオード
Ｄ３１、Ｄ３２  ダイオード
ＬＧ１          外部グランドライン
ＬＧ２          内部グランドライン
Ｒ１１〜Ｒ１５  抵抗
Ｒ２１、Ｒ２２  抵抗
Ｒ３１、Ｒ３２  抵抗
ＴＧ１〜ＴＧ５  グランド端子
ＴＶ１、ＴＶ２  電源端子
【図１】
2008293752.tif 000003
【図２】
2008293752.tif 000004
【図３】
2008293752.tif 000005
【図４】
2008293752.tif 000006
【図５】
2008293752.tif 000007
【図６】
2008293752.tif 000008
【図７】
2008293752.tif 000009
【図８】
2008293752.tif 000010